(57)【要約】      （修正有）【課題】中空成形の軟質樹脂製の人形玩具に中身が詰まった柔らかい感触を持たせ、且つ風呂のような水中でも一緒に遊べる人形玩具を提供する。【解決手段】軟質樹脂で中空状に形成されて開口部２４、３４を有する中空部材を備え、中空部材の内部には、綿などを含む弾性部材を充填して、開口部を密閉する。複数の中空部材を組み合わせて構成する場合は、好ましくは、第一の中空部材に形成された凸型嵌合部と、第二の中空部材に形成された凹型嵌合部とを嵌合させる。さらに、凸型嵌合部と凹型嵌合部には開口部が形成され密閉されている。【選択図】図４
0003222811.tif 000002
【実用新案登録請求の範囲】
【請求項１】
軟質樹脂で中空状に形成されて開口部を有する中空部材を備えた柔らか人形玩具であって、
前記中空部材は、その内部に弾性部材が充填され、前記開口部が密閉されていることを特徴とする柔らか人形玩具。
【請求項２】
請求項１に記載の柔らか人形玩具において、
第一の前記中空部材に形成された凸型嵌合部と、第二の前記中空部材に形成された凹型嵌合部とが嵌合されており、
前記凸型嵌合部と前記凹型嵌合部には前記開口部が形成され密閉されていることを特徴とする柔らか人形玩具。
【請求項３】
請求項２に記載の柔らか人形玩具において、
前記開口部は、密閉部材が接着されて密閉されていることを特徴とする柔らか人形玩具。
【請求項４】
請求項１乃至３のいずれか一項に記載の柔らか人形玩具において、
前記弾性部材は綿を含むことを特徴とする柔らか人形玩具。
【考案の詳細な説明】
【技術分野】
【０００１】  本考案は、柔らか人形玩具に関し、特に風呂などの水中でも遊べる柔らか人形玩具に関する。
【背景技術】
【０００２】  一般に『ソフビ（ソフトビニール）フィギュア』としてソフビ人形単体で軟質成形するものは、柔らかさを主眼とした乳幼児対象の人形玩具で、押し潰した触感は中空のスカスカした感触があった。例えば、特許文献１に記載のソフビ人形では、ソフビ人形の顔等の触感を良くするために、中に綿を詰めており、表面に生地を貼ったり、胴体を縫製で製作したりしている。
【先行技術文献】
【特許文献】
【０００３】
【特許文献１】実開昭６２−１２２６９５号公報
【考案の概要】
【考案が解決しようとする課題】
【０００４】  特許文献１に記載のソフビ人形では、綿詰めした人形の内部に水が浸入して綿が水に濡れると乾燥し難く、水に濡れる環境での使用は困難であり、お風呂のような水中での使用は想定されていない。【０００５】  そこで、本考案は、上記課題を鑑みてなされたものであり、中空成形の軟質樹脂製の人形玩具に中身が詰まった柔らかい感触を持たせ、且つ風呂のような水中でも一緒に遊べる人形玩具を提供することを目的とする。
【課題を解決するための手段】
【０００６】  本考案の柔らか人形玩具は、軟質樹脂で中空状に形成されて開口部を有する中空部材を備え、中空部材は、その内部に綿などを含む弾性部材が充填され、開口部が密閉されていることを特徴とする。
複数の中空部材を組み合わせて構成する場合は、好ましくは、第一の中空部材に形成された凸型嵌合部と、第二の中空部材に形成された凹型嵌合部とを嵌合させる。
凸型嵌合部と凹型嵌合部には開口部が形成され密閉されている。
【考案の効果】
【０００７】  本考案の柔らか人形玩具によれば、中空成形の軟質樹脂製の人形玩具に中身が詰まった柔らかい感触を持たせ、且つ風呂のような水中でも一緒に遊べるようにすることができる。
【図面の簡単な説明】
【０００８】
【図１】本考案に係る犬の人形玩具を正面から見た外観を示す図。
【図２】本考案に係る犬の人形玩具を側面から見た外観を示す図。
【図３】図１に示す切断線Ａ−Ａ‘に沿って本発明に係る犬の人形玩具を上下（頭−足）前後（腹−背）の面で切断した断面を表す図。
【図４】（ａ）は本考案に係る犬の人形玩具の胴部２０と頭部３０を分離した状態の正面外観を示す図。（ｂ）はＡ−Ａ‘断面図。
【図５】（ａ）は、本考案に係る犬の人形玩具の胴部２０と頭部３０を分離した状態であって、密閉部材４０により開口部２４，３４が密閉された状態のＡ−Ａ‘断面を示す図であり、（ｂ）は取付部２２，３２の拡大断面図であって、開口部２４，３４への密閉部材４０の装着を表している図。
【考案を実施するための形態】
【０００９】  本考案の柔らか人形玩具は、軟質樹脂で中空状に形成されて開口部を有する中空部材を一つ以上組み合わせて成り、少なくとも一つの中空部材は、その内部に綿等の繊維材やスポンジ等のクッション材等の単一部材又はこれらの混合部材を含む弾性部材が充填され、開口部が密閉された構造を有する。複数の中空部材の組み合わせる場合は、好ましくは、第一の中空部材に形成された凸型嵌合部と、第二の中空部材に形成された凹型嵌合部とを嵌合させる。さらに、凸型嵌合部と凹型嵌合部に開口部が形成されて密閉されている。
【００１０】  以下、図を参照して、本考案の柔らか人形玩具の実施形態について説明する。なお、犬の人形玩具を例にして本考案の実施形態を説明するが、本考案の柔らか人形玩具は、犬に限定されることなく、人間、怪獣等の空想物、架空のキャラクター、猿や猫等の動物、恐竜、虫、植物、車・船や潜水艦等の乗り物、ロボット等の様々な物の形状を模倣した形状を有する玩具に適用することができる。これらの各種形状を含めて、以下、人形玩具と表す。
【実施例１】
【００１１】  図１と図２は、犬の人形玩具の外観を示す図であり、図１は正面から見た外観を示す図で、図２は側面から見た外観を示す図である。また、図１に示す切断線Ａ−Ａ‘に沿って人形を上下（頭−足）前後（腹−背）の面で切断した断面図を図３に示す。これら図１〜図３を用いて柔らか人形玩具の本体を説明する。【００１２】  柔らか人形玩具の本体１０は、胴部２０及び頭部３０で構成されており、双方の取付部を介して相互に接続されている。【００１３】  胴部２０は、軟質ポリ塩化ビニル・ゴム等の軟質樹脂で外皮の厚さが例えば０．２ｍｍ〜５ｍｍの中空に形成され、犬の胴部を模して形成されている。そして、胴部２０には、犬の四足を模して、左右の腕部６０と左右の脚部７０が一体に（連続して）形成されている。なお、左右の腕部６０と左右の脚部７０を別体として胴部２０と同じ又は異なる材質で形成して、胴部２０に取り付ける構成でも良い。更に、胴部２０の上部には、密閉される開口部を有して頭部３０を取り付けるための取付部（凸型嵌合部）２２が形成されている。取付部２２の詳細については後述する。【００１４】  頭部３０は、軟質ポリ塩化ビニル・ゴム等の軟質樹脂で外皮の厚さが例えば０．２ｍｍ〜５ｍｍの中空に形成され、犬の頭部を模して形成されており、人形の顔となる目・鼻・耳が表示又は形成されている。更に、頭部３０の下部には、密閉される開口部を有して胴部２０に取り付けられるための取付部（凹型嵌合部）３２が形成されている。取付部３２の詳細については後述する。【００１５】  好ましくは左右の腕部６０と左右の脚部７０も含めて、胴部２０と頭部３０の中空内部には、綿等の繊維材やスポンジ等のクッション材の単一部材又はこれらの混合部材を含む弾性部材８０が充填されている。この弾性部材８０は、胴部２０と頭部３０の取付部２２，３２にそれぞれ形成された開口部２４，３４からそれぞれの中空内部に充填されたものであり、当該充填の後にそれぞれの開口部２４，３４が密閉されて、気体や液体の侵入と漏出が遮断される。この内部に充填された弾性部材８０と外皮の軟質樹脂との相乗効果により、乳幼児や幼児等の遊戯者により柔らか人形が押圧されると弾性的に柔らかく（しなやかに）変形し、押圧が解除されるとしなやかに元の形状に戻る。また、人形玩具本体１０を抱いたり、触れたりした時に、柔らかい感触を楽しむこともできる。【００１６】  次に、図４、図５を用いて取付部２２，３２の詳細を説明する。図４（ａ）は胴部２０と頭部３０を分離した状態の正面外観図であり、図４（ｂ）はＡ−Ａ‘断面図である。いずれも、取付部２２，３２にそれぞれ形成された開口部２４，３４を密閉するための密閉部材（例：防水キャップ）４０が開口部２４，３４に装着される前の状態を表している。また、図５（ａ）は、胴部２０と頭部３０を分離した状態であって、密閉部材４０により開口部２４，３４が密閉された状態のＡ−Ａ‘断面図を示しており、図５（ｂ）は、取付部２２，３２の拡大断面図であって、開口部２４，３４への密閉部材４０の装着を表している。【００１７】  凸型嵌合部２２は、胴部２０の上部端から連続して形成され、胴部２０の横幅よりも短径で高さの短い円筒部２６と、円筒部２６���ら同軸で外側に連続して形成され円筒部２６より大径で軸方向に長い（高さが高い）円筒状の鍔部２８とを有して成る。つまり、鍔部２８は円筒部２６の端部から環状に膨出している。そして、鍔部２８には開口部２４が形成されている。【００１８】  開口部２４は、外側に大径円柱状の孔と中空内部側に小径円柱状の孔とが、凸型嵌合部２２と同軸であって開口端面が階段状の段差となるように連続して形成されている。大径円柱状の孔と小径円柱状の孔の軸方向長さ（孔の深さ）は、例えば１ｍｍ〜５ｍｍとする。その結果、大径円柱状の孔から小径円柱状の孔に至る階段状の段差部が開口部２４の中心軸側に向けて突出する突出部を形成している。【００１９】  上述した胴部２０の開口部２４を密閉する密閉部材４０は、胴部２０と頭部３０の外皮を構成する軟質樹脂より硬質の樹脂（例：硬質ポリ塩化ビニル、ＡＢＳ樹脂）で構成され、上記開口端面と密接する外形を有するとともに、上記突出部を挟持する形状を有する。具体的には、高さの短い内側円柱部の一方の端部側には内側円柱部の径より大径の高さの短い第１外側円柱部が、他方の端部側には内側円柱部の径より大径で第１外側円柱部より小径の高さの短い第２外側円柱部が同軸に連続して形成されたものである。さらに、第１外側円柱部と第２外側円柱部とで上記開口端面に形成された突出部を密接して挟持するように、内側円柱部の高さと小径円柱状の孔の深さが略同一となっている。【００２０】  このように構成された密閉部材４０の内側円柱部の側面と開口部２４の開口端面（図の「Ｘ」で示した部分）に接着剤を塗布した状態で、第１外側円柱部と第２外側円柱部とで突出部を挟持するように密閉部材４０を開口部２４に装着することで、開口部２４が気密・水密に密閉される。なお、後述するように凸型嵌合部２２が凹型嵌合部３２に嵌合して開口部２４，３４が共に隠蔽される構造なので、仮に接着剤がはみ出しても、外観に影響を及ぼさない。【００２１】  一方、頭部３０の凹型嵌合部３２は、前述した胴部２０の凸型嵌合部２２と嵌合して、胴部２０と頭部３０とが回動可能且つ着脱可能となる構造を有する。具体的には、頭部３０の凹型嵌合部３２は、頭部３０の下部端から連続して形成され、頭部３０の横幅よりも短径で深さの短い円柱状の凹部３６と、円柱状の凹部３６から同軸で中空内部側に連続して形成され円柱状の凹部３６より大径で軸方向に長い（深さが深い）円柱状の凹部３８とを有して成る。そして、円柱状の凹部３８には開口部３４が形成されている。なお、胴部２０の凸型嵌合部２２と頭部３０の凹型嵌合部３２とを接着剤等で接着して固定することで、胴部２０と頭部３０とを回動不能且つ着脱不能にしても良い。【００２２】  さらに、頭部３０の凹型嵌合部３２が胴部２０の凸型嵌合部２２に摺動可能に嵌合するように、凸型嵌合部２２の鍔部２８の外形面に対向する凹型嵌合部３２の円柱状の凹部３８の外形面（対向面）が略同形に形成されており、且つ、凸型嵌合部２２の円筒部２６の外形面に対向する凹型嵌合部３２の円柱状の凹部３６の外形面（対向面）が略同形に形成されている。【００２３】  開口部３４は、胴部２０と頭部３０との中間平面に関して開口部２４と面対称な構造を有する。具���的には、開口部３４は、外側に大径円柱状の孔と中空内部側に小径円柱状の孔とが、凹型嵌合部３２と同軸であって開口端面が階段状の段差となるように連続して形成されている。大径円柱状の孔と小径円柱状の孔の軸方向長さ（孔の深さ）は、例えば１ｍｍ〜５ｍｍとする。その結果、大径円柱状の孔から小径円柱状の孔に至る階段状の段差部が開口部３４の中心軸側に向けて突出する突出部を形成することになる。このような構造により、開口部２４の密閉部材４０と同じ密閉部材４０を用いて開口部３４を密閉することが可能となる。密閉部材４０による開口部３４の密閉は、前述した開口部２４の密閉と同様であるので詳細な説明は省略する。【００２４】  以上の様に開口部３４が密閉された凹型嵌合部３２に、同じく開口部２４が密閉された凸型嵌合部２２を押し込んで嵌合させることで、胴部２０に頭部３０を取り付ける。凸型嵌合部２２と凹型嵌合部３２は共に軟質樹脂で形成されているので、押し込み嵌合の際に相互に容易に変形し、嵌合後は変形した凸型嵌合部２２と凹型嵌合部３２は元の形状に戻って、相互に摺動可能に密接することになる。つまり、凸型嵌合部２２と凹型嵌合部３２における相互の対向面は互いに摺接面となる。その結果、胴部２０と頭部３０とは相互に回動可能なる。なお、胴部２０に頭部３０と嵌合させて取り付けると、嵌合箇所は人形本体１０の外皮に覆われて外からは見えなくなる。【００２５】  胴部２０と頭部３０を分離させる際にも、凸型嵌合部２２と凹型嵌合部３２が変形するので、胴部２０から頭部３０を容易に取り外すことができる。【００２６】  なお、これまでの本考案に係る実施例１の説明では、胴部２０が凸型嵌合部２２を、頭部３０が凹型嵌合部３２をそれぞれ具備する例を説明したが、胴部２０が凹型嵌合部３２のような凹型の嵌合部を、頭部３０が凸型嵌合部２２のような凸型の嵌合部をそれぞれ具備しても良い。【００２７】  以上説明したように本考案の柔らか人形玩具を構成することにより、中身が詰まった柔らかい感触を持たせることができるとともに、内部が密閉されるので、内部に気体や液体が浸入・漏出することを防止でき、風呂のような水中でも一緒に遊べるようにすることができる。【００２８】  以上のように好ましい実施形態を挙げて本考案の柔らか人形玩具を説明したが、本考案はその実施形態に限定されるものではなく、本考案の要旨の範囲内で種々に改変できる。
【符号の説明】
【００２９】１０    犬の人形玩具の本体
２０    胴部
２２    取付部（凸型嵌合部）
２４    開口部
２６    円筒部
２８    鍔部
３０    頭部
３２    取付部（凹型嵌合部）
３４    開口部
３６    円柱状の凹部
３８    円柱状の凹部
４０    密閉部材
６０    腕部
７０    足部
８０    弾性部材
【図１】
0003222811.tif 000003
【図２】
0003222811.tif 000004
【図３】
0003222811.tif 000005
【図４】
0003222811.tif 000006
【図５】
0003222811.tif 000007